(57)【要約】  【課題】  産業用無線親機及び産業用無線子機相互間で識別情報の登録作業が必要となる。  【解決手段】  産業用無線子機３は、産業用無線親機２からの配信データを順次受信する産業用無線通信システム１であって、産業用無線親機は、配信番号を記憶した親機側記憶部２５と、配信データを産業用無線子機に配信する際に、同配信データの配信番号を同配信データに付加する配信番号付加部２６Ｂとを有し、産業用無線子機は、産業用無線親機からの配信データを受信すると、同配信データに含まれる配信番号を抽出する配信番号抽出部３８Ａと、抽出した配信番号に基づき、次回の配信待ち番号を設定する配信待ち番号設定部３６と、次回の配信待ち番号を設定した後、受信した配信データから配信番号を抽出すると、この配信番号が設定中の次回の配信待ち番号に該当すると判定されると、この受信した配信データを取得する配信データ取得部３８Ｂとを有している。【選択図】  図１
2006253812.tif 000002
【特許請求の範囲】
【請求項１】
産業用無線親機と、この産業用無線親機と無線接続する産業用無線子機とを有し、前記産業用無線親機は、配信データを生成する配信データ生成手段と、この配信データを前記産業用無線子機に配信する配信手段とを有し、前記産業用無線子機は、前記産業用無線親機からの配信データを順次受信する産業用無線通信システムであって、
前記産業用無線親機は、
前記配信データの配信順序を示す配信符号を記憶した親機側記憶手段と、
前記配信手段にて前記配信データを前記産業用無線子機に配信する際に、同配信データの配信符号を前記親機側記憶手段から読み出し、この配信符号を同配信データに付加して前記配信手段に配信させる配信符号付加手段とを有し、
前記産業用無線子機は、
前記産業用無線親機からの配信データを受信すると、同配信データに含まれる配信符号を抽出する配信符号抽出手段と、
この配信符号抽出手段にて抽出した配信符号に基づき、次回の配信待ち符号を生成し、この次回の配信待ち符号を設定更新する配信待ち符号設定手段と、
この配信待ち符号設定手段にて次回の配信待ち符号を設定した後、前記配信符号抽出手段にて受信した配信データから前記配信符号を抽出すると、この配信符号が設定中の次回の配信待ち符号に該当するか否かを判定する配信符号該当判定手段と、
この配信符号該当判定手段にて配信符号が設定中の次回の配信待ち符号に該当すると判定されると、この受信した配信データを取得する配信データ取得手段とを有することを特徴とする産業用無線通信システム。
【請求項２】
前記配信データ取得手段は、
前記配信符号該当判定手段にて配信符号が設定中の次回の配信待ち符号に該当しないと判定されると、この受信した配信データの取得を禁止することを特徴とする請求項１記載の産業用無線通信システム。
【請求項３】
前記産業用無線子機は、
前記配信待ち符号設定手段にて前記配信待ち符号を設定した後、所定時間内に、前記設定中の配信待ち符号に該当する配信符号を抽出できたか否かを判定する所定時間監視手段を有し、
前記配信待ち符号設定手段は、
前記所定時間監視手段にて所定時間内に該当する配信符号を抽出できなかったと判定されると、前記配信符号抽出手段にて受信した配信データに含まれる配信符号を抽出し、この配信符号に基づき、次回の配信待ち符号を生成し、この次回の配信待ち符号を設定更新することを特徴とする請求項１又は２記載の産業用無線通信システム。
【請求項４】
前記配信符号該当判定手段は、
同産業用無線子機の電源起動を検出すると、前記配信待ち符号設定手段にて初期設定の次回の配信待ち符号を設定した後、前記配信符号抽出手段にて受信した配信データから前記配信符号を抽出すると、この配信符号が設定中の次回の配信待ち符号に該当するか否かを判定することを特徴とする請求項１、２又は３記載の産業用無線通信システム。
【請求項５】
前記配信待ち符号設定手段は、
同産業用無線子機の電源起動を検出すると、前記配信符号抽出手段にて受信した配信データに含まれる配信符号を抽出した後、この配信符号に基づき、次回の配信待ち符号を生成し、この次回の配信待ち符号を設定更新することを特徴とする請求項１、２又は３記載の産業用無線通信システム。
【請求項６】
前記配信符号は、
前記配信データの配信順序を示す、整数の連続した配信番号に相当することを特徴とする請求項１，２，３，４又は５記載の産業用無線通信システム。
【請求項７】
前記配信符号は、
前記配信データの配信順序を示す連続した識別符号に相当することを特徴とする請求項１，２，３，４又は５記載の産業用無線通信システム。
【発明の詳細な説明】
【技術分野】
【０００１】
本発明は、産業用無線親機と、この産業用無線親機と無線接続する産業用無線子機とを有し、前記産業用無線子機は、前記産業用無線親機からの配信データを順次受信する産業用無線通信システムに関する。
【背景技術】
【０００２】
従来、このような産業用無線通信システムは、例えば工場内の制御装置に備えた産業用無線親機と、この産業用無線親機と無線接続する、例えば様々な警報を表示出力する表示盤等に備えた産業用無線子機とを有し、前記産業用無線子機は、前記産業用無線親機からの配信データを順次受信し、この配信データに基づき制御駆動動作、例えば警報を表示盤に表示出力するものである。
【０００３】
このような産業用無線通信システムとしては、産業用無線親機及び産業用無線子機双方で相互の識別情報（シリアル番号）を予め登録しておき、産業用無線親機は、識別情報を使用して配信データの配信対象である産業用無線子機に配信データを配信すると共に、産業用無線子機は、識別情報を使用して産業用無線親機からの自己の配信データを順次受信するものである（例えば非特許文献１参照）。
【非特許文献１】オムロン株式会社「ワイヤレスターミナル  形ＷＴ２１−ＩＤ０８／−ＯＤ０８  ユーザーズマニュアル」（カタログ番号ＳＧＳＡ−７１１Ａ）、２００３年７月、１７ページ
【発明の開示】
【発明が解決しようとする課題】
【０００４】
しかしながら、上記従来の産業用無線通信システムによれば、産業用無線親機及び産業用無線子機間では識別情報（シリアル番号）を予め登録し、同識別情報を使用して産業用無線親機及び産業用無線子機間で配信データの通信動作を実行するようにしたが、産業用無線親機及び産業用無線子機間では識別情報を登録する作業が必要となり、しかも、産業用無線親機や産業用無線子機等を交換する場合には、交換の都度、識別情報の登録作業が必要となる。
【０００５】
本発明は上記点に鑑みてなされたものであり、その目的とするところは、識別情報等の登録作業を要することなく、産業用無線子機が自分の通信相手である産業用無線親機からの配信データを取得することができる産業用無線通信システムを提供することにある。
【課題を解決するための手段】
【０００６】
上記目的を達成するために本発明の産業用無線通信システムは、産業用無線親機と、この産業用無線親機と無線接続する産業用無線子機とを有し、前記産業用無線親機は、配信データを生成する配信データ生成手段と、この配信データを前記産業用無線子機に配信する配信手段とを有し、前記産業用無線子機は、前記産業用無線親機からの配信データを順次受信する産業用無線通信システムであって、前記産業用無線親機は、前記配信データの配信順序を示す配信符号を記憶した親機側記憶手段と、前記配信手段にて前記配信データを前記産業用無線子機に配信する際に、同配信データの配信符号を前記親機側記憶手段から読み出し、この配信符号を同配信データに付加して前記配信手段に配信させる配信符号付加手段とを有し、前記産業用無線子機は、前記産業用無線親機からの配信データを受信すると、同配信データに含まれる配信符号を抽出する配信符号抽出手段と、この配信符号抽出手段にて抽出した配信符号に基づき、次回の配信待ち符号を生成し、この次回の配信待ち符号を設定更新する配信待ち符号設定手段と、この配信待ち符号設定手段にて次回の配信待ち符号を設定した後、前記配信符号抽出手段にて受信した配信データから前記配信符号を抽出すると、この配信符号が設定中の次回の配信待ち符号に該当するか否かを判定する配信符号該当判定手段と、この配信符号該当判定手段にて配信符号が設定中の次回の配信待ち符号に該当すると判定されると、この受信した配信データを取得する配信データ取得手段とを有するようにした。
【０００７】
本発明の産業用無線通信システムは、前記配信データ取得手段が、前記配信符号該当判定手段にて配信符号が設定中の次回の配信待ち符号に該当しないと判定されると、この受信した配信データの取得を禁止するようにした。
【０００８】
本発明の産業用無線通信システムは、前記産業用無線子機が、前記配信待ち符号設定手段にて前記配信待ち符号を設定した後、所定時間内に、前記設定中の配信待ち符号に該当する配信符号を抽出できたか否かを判定する所定時間監視手段を有し、前記配信待ち符号設定手段は、前記所定時間監視手段にて所定時間内に該当する配信符号を抽出できなかったと判定されると、前記配信符号抽出手段にて受信した配信データに含まれる配信符号を抽出し、この配信符号に基づき、次回の配信待ち符号を生成し、この次回の配信待ち符号を設定更新するようにした。
【０００９】
本発明の産業用無線通信システムは、前記配信符号該当判定手段が、同産業用無線子機の電源起動を検出すると、前記配信待ち符号設定手段にて初期設定の次回の配信待ち符号を設定した後、前記配信符号抽出手段にて受信した配信データから前記配信符号を抽出すると、この配信符号が設定中の次回の配信待ち符号に該当するか否かを判定するようにした。
【００１０】
本発明の産業用無線通信システムは、前記配信待ち符号設定手段が、同産業用無線子機の電源起動を検出すると、前記配信符号抽出手段にて受信した配信データに含まれる配信符号を抽出した後、この配信符号に基づき、次回の配信待ち符号を生成し、この次回の配信待ち符号を設定更新するようにした。
【００１１】
本発明の産業用無線通信システムは、前記配信符号が、前記配信データの配信順序を示す、整数の連続した配信番号に相当するようにした。
【００１２】
本発明の産業用無線通信システムは、前記配信符号が、前記配信データの配信順序を示す連続した識別符号に相当するようにした。
【発明の効果】
【００１３】
上記のように構成された本発明の産業用無線通信システムによれば、前記産業用無線親機側にて配信データを産業用無線子機に配信する際に、同配信データに配信順序を示す配信符号を付加して配信すると共に、前記産業用無線子機側では産業用無線親機からの配信データを受信すると、同配信データに含まれる配信符号を抽出し、この配信符号に基づき次回の配信待ち符号を生成し、この次回の配信待ち符号を設定更新した後、次の配信データを受信すると、同配信データから配信符号を抽出し、この配信符号が設定中の次回の配信待ち符号に該当すると判定されると、自己の通信相手である産業用無線親機からの配信データであると判断し、この受信した配信データを取得するようにしたので、産業用無線親機及び産業用無線子機間の識別情報の登録作業を要することなく、産業用無線子機は、自己の通信相手である産業用無線親機からの配信データを取得することができる。
【００１４】
本発明の産業用無線通信システムによれば、産業用無線子機側にて次回の配信待ち符号を設定した後、次の配信データを受信すると、同配信データから配信符号を抽出し、この配信符号が設定中の次回の配信待ち符号に該当しないと判定されると、自己の通信相手である産業用無線親機からの配信データでないと判断し、この受信した配信データの取得を禁止するようにしたので、産業用無線子機は、他の産業用無線親機との混信を確実に防止することができる。
【００１５】
本発明の産業用無線通信システムによれば、産業用無線子機側にて次回の配信待ち符号を設定した後、所定時間内に設定中の配信待ち符号に該当する配信符号を抽出できなかったと判定されると、受信した配信データに含まれる配信符号を抽出し、この配信符号に基づき、次回の配信待ち符号を生成し、この次回の配信待ち符号を設定するようにしたので、産業用無線子機側では、例えば通信障害等で所定時間内に設定中の配信待ち符号に該当する配信符号を抽出できなくても、次に受信した配信データの配信符号に基づき次回の配信待ち符号を生成し、この次回の配信待ち符号を設定することで、通信の中断を確実に防止することができる。
【００１６】
本発明の産業用無線通信システムによれば、産業用無線子機の電源起動を検出すると、初期設定の次回の配信待ち符号を設定した後、受信した配信データから配信符号を抽出すると、この配信符号が設定中の次回の配信待ち符号に該当するか否かを判定するようにしたので、産業用無線子機は、電源起動のタイミングで初期設定の次回の配信待ち符号を設定することができる。
【００１７】
本発明の産業用無線通信システムによれば、産業用無線子機の電源起動を検出すると、受信した配信データから配信符号を抽出した後、この配信符号に基づき、次回の配信待ち符号を生成し、この次回の配信待ち符号を設定更新するようにしたので、産業用無線子機側では、初期設定の配信待ち符号を準備することなく、電源起動のタイミングで最初に受信した配信データ内の配信符号に基づき次回の配信待ち符号を設定することができる。
【００１８】
本発明の産業用無線通信システムによれば、配信符号を、例えば“１”、“２”、“３”…“N−１”、“N”等の整数の連続した識別番号で表すことができる。
【００１９】
本発明の産業用無線通信システムによれば、配信符号を、例えば所定順序を表す識別符合、例えばアルファベットで表すことができる。
【発明を実施するための最良の形態】
【００２０】
以下、図面に基づいて本発明の実施の形態を示す産業用無線通信システムについて説明する。図１は本実施の形態を示す産業用無線通信システム内部の概略構成を示すブロック図である。
【００２１】
図１に示す産業用無線通信システム１は、例えば工場内の制御装置に備えた産業用無線親機２と、この産業用無線親機２と無線接続する、例えば工場内の警報を表示出力する表示盤に備えた産業用無線子機３とを有し、産業用無線子機３は、産業用無線親機２からの配信データを順次受信し、この配信データを取得することで、同配信データに基づき、表示盤に警報を表示出力するものである。
【００２２】
図２は本実施の形態に関わる産業用無線親機２内部の概略構成を示すブロック図である。
【００２３】
図２に示す産業用無線親機２は、親機側アンテナ２１経由で無線通信する親機側通信部２２と、産業用無線親機２の電源ON/OFFを監視する親機側電源監視部２３と、タイマ時間を監視する親機側タイマ監視部２４と、様々な情報を記憶する親機側記憶部２５と、この産業用無線親機２全体を制御する親機側制御部２６とを有している。
【００２４】
親機側通信部２２は、配信データを所定時間タイミングで産業用無線子機３に順次配信するものである。
【００２５】
親機側記憶部２５は、配信データを配信する際に、配信データの配信順序を示す配信番号を記憶したものである。
【００２６】
親機側制御部２６は、配信データを生成する配信データ生成部２６Ａと、この配信データを産業用無線子機３に配信する際に、同配信データの配信番号を親機側記憶部２５から読み出し、この配信番号を同配信データに付加する配信番号付加部２６Ｂとを有し、親機側通信部２２を通じて同配信番号を付加した配信データを産業用無線子機３に配信するものである。
【００２７】
図３は本実施の形態に関わる産業用無線子機３内部の概略構成を示すブロック図である。
【００２８】
図３に示す産業用無線子機３は、子機側アンテナ３１経由で無線通信する子機側通信部３２と、産業用無線子機３の電源ON/OFFを監視する子機側電源監視部３３と、タイマ時間を監視する子機側タイマ監視部３４と、子機側通信部３２にて受信した配信データに基づき警報表示等の駆動動作を実行する駆動制御部３５と、通信相手である産業用無線親機２の認証に使用する配信待ち番号を設定する配信待ち番号設定部３６と、この産業用無線子機３全体を制御する子機側制御部３７とを有している。
【００２９】
子機側制御部３７は、子機側通信部３２を通じて産業用無線親機２からの配信データを受信すると、この配信データに対してデータ解析処理を実行するデータ解析処理部３８と、このデータ解析処理部３８の解析結果に基づき、通信相手である産業用無線親機２との通信認証を実行する通信相手認証部３９とを有している。
【００３０】
データ解析処理部３８は、子機側通信部３２を通じて産業用無線親機２からの配信データを受信すると、この配信データに含まれる配信番号を抽出する配信番号抽出部３８Ａと、通信相手認証部３９にて産業用無線親機２との通信認証が完了すると、受信した配信データを取得する配信データ取得部３８Ｂとを有している。
【００３１】
駆動制御部３５は、配信データ取得部３８Ｂにて配信データを取得すると、この配信データに基づき、例えば表示盤の警報出力を駆動制御するものである。
【００３２】
配信待ち番号設定部３６は、産業用無線親機２からの配信データを受信すると、配信番号抽出部３８Ａにて同配信データに含まれる配信番号を抽出し、配信番号に基づき、配信待ち番号を設定するものである。
【００３３】
配信待ち番号設定部３６は、産業用無線親機２から“１”の配信番号を含む配信データを受信すると、図４に示すように同配信番号“１”に＋１インクリメントすることで次回の配信待ち番号“２”を生成し、この次回の配信待ち番号“２”を設定し、次回の配信番号“２”を待つことになる。配信待ち番号設定部３６は、産業用無線親機２から“２”の配信番号を含む配信データを受信すると、図４に示すように同配信番号“２”に＋１インクリメントすることで次回の配信待ち番号“３”を生成し、この次回の配信待ち番号“３”を設定し、次回の配信番号“３”を待つことになる。
【００３４】
また、通信相手認証部３９は、配信待ち番号設定部３６にて次回の配信待ち番号を設定した後、配信番号抽出部３８Ａにて受信した配信データから配信番号を抽出すると、同配信番号が設定中の配信待ち番号に該当するか否かを判定し、現在の配信番号が設定中の配信待ち番号に該当すると判定されると、自己の通信相手の産業用無線親機２からの配信データであると判断して通信認証を完了し、配信データ取得部３８Ｂによる同配信データの取得動作を実行するものである。
【００３５】
また、通信相手認証部３８Ａは、現在の配信番号が設定中の配信待ち番号に該当しないと判定されると、通信相手の産業用無線親機２からの配信データではないと判断し、配信データ取得部３８Ｂによる配信データの取得動作を禁止するものである。
【００３６】
尚、請求項記載の配信データ生成手段は配信データ生成部２６Ａ、配信手段は親機側通信部２２、親機側記憶手段は親機側記憶部２５、配信符号付加手段は配信番号付加部２６Ｂ、配信符号抽出手段は配信番号抽出部３８Ａ、配信待ち符号設定手段は配信待ち番号設定部３６、配信符号該当判定手段は通信相手認証部３９、配信データ取得手段は配信データ取得部３８Ｂ、所定時間監視手段は子機側タイマ監視部３４、配信符号は配信番号、配信待ち符号は配信待ち番号に相当するものである。
【００３７】
次に本実施の形態を示す産業用無線通信システム１の動作について説明する。図５は親機側データ配信処理に関わる産業用無線親機２側の処理動作を示すフローチャートである。
【００３８】
図５に示す親機側データ配信処理は、配信データを産業用無線子機３に配信する際に、同配信データに配信順序を示す配信番号を付加して、同配信データを産業用無線子機３に順次配信する処理である。
【００３９】
図５において親機側制御部２６は、親機側電源監視部２３を通じて自己の電源起動を検出したか否かを判定する（ステップＳ１１）。尚、産業用無線親機２の電源起動は、産業用無線子機３の電源起動と同一タイミングで実行されるのが望ましい。
【００４０】
親機側制御部２６は、親機側電源監視部２３を通じて自己の電源起動を検出したと判定されると、配信データ生成部２６Ａにて産業用無線子機３に配信する配信データを生成し（ステップＳ１２）、親機側記憶部２５から最初の配信番号“１”を読み出し（ステップＳ１３）、配信番号付加部２６Ｂにて同配信データに同配信番号を付加して（ステップＳ１４）、親機側通信部２２を通じて同配信番号を付加した配信データを産業用無線子機３に配信する配信動作を実行する（ステップＳ１５）。
【００４１】
親機側制御部２６は、配信データ生成部２６Ａにて次の配信データを生成したか否かを判定する（ステップＳ１６）。親機側制御部２６は、次の配信データを生成したのであれば、次の配信番号を親機側記憶部２５から読み出し（ステップＳ１７）、配信番号付加部２６Ｂにて同配信データに同配信番号を付加して（ステップＳ１８）、親機側通信部２２を通じて同配信番号を付加した配信データを産業用無線子機３に配信する配信動作を実行する（ステップＳ１９）。
【００４２】
親機側制御部２６は、親機側電源監視部２３を通じて自己の電源ＯＦＦを検出したか否かを判定する（ステップＳ２０）。親機側制御部２６は、電源ＯＦＦを検出したのであれば、この処理動作を終了し、電源ＯＦＦを検出したのでなければ、同電源がＯＮ状態であると判断し、次の配信データを生成すべく、ステップＳ１６に移行する。
【００４３】
図５に示す親機側配信データ処理によれば、配信データを生成すると、この配信データの配信順序を示す配信番号を親機側記憶部２５から読み出し、同配信データに配信番号を付加して各産業用無線子機３に配信するようにしたので、産業用無線親機２は、同配信データの配信順序を示す配信番号を順次付加して各産業用無線子機３に自動配信することができる。
【００４４】
図６は子機側データ取得処理に関わる各産業用無線子機３側の処理動作を示すフローチャートである。
【００４５】
図６において子機側制御部３７は、子機側電源監視部３３を通じて自己の電源起動を検出したか否かを判定する（ステップＳ３１）。尚、産業用無線子機３の電源起動は、産業用無線親機２の電源起動と同一タイミングで実行されるのが望ましい。
【００４６】
子機側制御部３７は、自己の電源起動を検出したと判定されると、配信待ち番号設定部３６にて配信待ち番号を初期設定する（ステップＳ３２）。尚、初期設定の配信待ち番号は“１”とするものである。
【００４７】
子機側制御部３７は、子機側タイマ監視部３４を通じて監視タイマをスタートする（ステップＳ３３）。尚、産業用無線親機２では、所定時間毎に配信データを配信することから、同監視タイマのタイマ時間は所定時間に相当するものである。
【００４８】
子機側制御部３７は、子機側通信部３２を通じて産業用無線親機２からの配信データを受信したか否かを判定する（ステップＳ３４）。子機側制御部３７は、配信番号抽出部３８Ａにて同配信データから配信番号を抽出する（ステップＳ３５）。子機側制御部３７は、通信相手認証部３９を通じて抽出した現在の配信番号が現在設定中の配信待ち番号に該当するか否かを判定する（ステップＳ３６）。
【００４９】
通信相手認証部３９は、抽出した現在の配信番号が現在設定中の配信待ち番号に該当すると判定されると、受信した配信データが自己の通信相手である産業用無線親機２からのデータであると判断し、この通信相手を認証することになる（ステップＳ３７）。
【００５０】
子機側制御部３７は、通信相手を認証すると、配信データ取得部３８Ｂにて同配信データを取得する（ステップＳ３８）。尚、子機側制御部３７は、配信データ取得部３８Ｂにて配信データを取得すると、この配信データに基づき、表示盤に警報表示出力させるべく、駆動制御部３５を駆動制御するものである。
【００５１】
子機側制御部３７は、配信データを取得すると、配信待ち番号設定部３６を通じて、現在の配信番号に基づき、次回の配信待ち番号を生成し、この次回の配信待ち番号を設定することになる（ステップＳ３９）。尚、配信待ち番号設定部３６は、例えば現在の配信番号が“１”の場合、同配信番号に＋１インクリメントすることで、次回の配信待ち番号は“２”ということになる。
【００５２】
子機側制御部３７は、子機側電源監視部３３にて自己の電源がＯＦＦしたか否かを判定する（ステップＳ４０）。子機側制御部３７は、自己の電源がＯＦＦしたと判定されると、この処理動作を終了し、自己の電源がＯＦＦしたのでなければ、電源がＯＮ状態であると判断し、次回の配信番号を抽出するための監視タイマをスタートすべく、ステップＳ３３に移行する。
【００５３】
また、子機側制御部３７は、ステップＳ３４にて配信データを受信したのではないと判定されると、又はステップＳ３６にて現在の配信番号が現在設定中の配信待ち番号に該当しないと判定されると、ステップＳ３３にてスタートした監視タイマがタイムアップしたか否かを判定する（ステップＳ４１）。
【００５４】
子機側制御部３７は、監視タイマがタイムアップしたのでなければ、配信データを受信すべく、ステップＳ３４に移行する。
【００５５】
また、子機側制御部３７は、ステップＳ４１にて監視タイマがタイムアップしたのであれば、例えば通信障害等で通信相手の産業用無線親機２からの配信データを受信できなかったものと判断し、新たな配信データを受信したか否かを判定する（ステップＳ４２）。
【００５６】
子機側制御部３７は、新たな配信データを受信したと判定されると、配信番号抽出部３８Ａを通じて配信番号を抽出し（ステップＳ４３）、配信データ取得部３８Ｂを通じて同配信データを取得し（ステップＳ４４）、配信待ち番号設定部３６を通じて現在の配信番号に基づき、新たな次回の配信待ち番号を生成し、この次回の配信待ち番号を設定することで（ステップＳ４５）、ステップＳ４０に移行する。
【００５７】
子機側制御部３７は、ステップＳ４２にて新たな配信データを受信したのでなければ、ステップＳ４０に移行する。
【００５８】
子機側制御部３７は、ステップＳ３１にて電源起動を検出したのでなければ、この処理動作を終了する。
【００５９】
図６に示す子機側データ取得処理によれば、産業用無線子機３側にて産業用無線親機２から配信番号を付加した配信データを順次受信すると、同配信番号に＋１インクリメントするだけで次回の配信待ち番号を生成し、この次回の配信待ち番号を設定すると共に、産業用無線子機３側にて産業用無線親機２からの配信データを受信すると、同配信データから配信番号を抽出し、この配信番号が設定中の配信待ち番号に該当するか否かを判定し、同配信番号が設定中の配信待ち番号に該当すると判定されると、同配信データが通信相手である産業用無線親機２であると判断し、この配信データを取得するようにしたので、産業用無線親機２及び産業用無線子機３間で識別情報の登録作業を要することなく、産業用無線子機３は、自己の通信相手である産業用無線親機２の配信データを取得することができる。
【００６０】
図６に示す子機側データ取得処理によれば、現在の配信番号が設定中の配信待ち番号に該当しないと判定されると、同配信データが通信相手の産業用無線親機２でないと判断し、この配信データの取得動作を禁止するようにしたので、産業用無線子機３は、通信相手以外の他の産業用無線親機２との混信を確実に防止することができる。
【００６１】
尚、図６に示す子機側データ取得処理においては、ステップＳ３１にて電源起動を検出すると、ステップＳ３２にて配信待ち番号を初期設定するようにしたが、次に説明する図７の子機側データ取得処理のようにしても良い。
【００６２】
図７は他の実施の形態に関わる子機側データ取得処理に関わる産業用無線子機３の処理動作を示すフローチャートである。
【００６３】
図７において子機側制御部３７は、子機側電源監視部３３を通じて自己の電源が起動したか否かを判定する（ステップＳ５１）。子機側制御部３７は、自己の電源を起動したと判定されると、子機側通信部３２を通じて産業用無線親機２からの配信データを受信したか否かを判定する（ステップＳ５２）。
【００６４】
子機側制御部３７は、子機側通信部３２を通じて産業用無線親機２からの配信データを受信したと判定されると、つまり電源起動後、最初の配信データを受信したと判定されると、配信番号抽出部３８Ａにて配信データから配信番号を抽出し（ステップＳ５３）、配信データ取得部３８Ｂにて同配信データを取得する（ステップＳ５４）。
【００６５】
子機側制御部３７は、配信待ち番号設定部３６を通じて現在の配信番号に基づき、次回の配信待ち番号を生成し、この次回の配信待ち番号を設定し（ステップＳ５４）、前述した監視タイマをスタートすべく、図６のＭ１に移行する。尚、ステップＳ５４では、電源起動後の最初の配信データの配信番号が“１０”だとすると、図８に示すように同配信番号“１０”に＋１インクリメントすることで次回の配信待ち番号“１１”を設定することになる。
【００６６】
また、子機側制御部３７は、ステップＳ５２にて配信データを受信したのでなければ、自己の電源がＯＦＦしたか否かを判定する（ステップＳ５５）。
【００６７】
子機側制御部３７は、自己の電源がＯＦＦしたのであれば、この処理動作を終了し、自己の電源がＯＦＦしたのでなければ、電源起動後、最初の配信データを受信すべく、ステップＳ５２に移行する。
【００６８】
図７に示す子機側データ取得処理によれば、図６のステップＳ３２のように配信待ち番号を初期設定するのではなく、電源起動後に最初に受信した配信データの配信番号を抽出し、この配信番号に基づき次回の配信待ち番号を生成し、この次回の配信待ち番号を設定するようにしたので、図６に示す子機側データ取得処理と同様の効果が得られることはもちろんのこと、産業用無線子機３側で初期設定用の配信待ち番号を準備する必要もなくなる。
【００６９】
本実施の形態によれば、産業用無線親機２側にて配信データを産業用無線子機３に配信する際に、同配信データに配信順序を示す配信番号を付加して配信すると共に、産業用無線子機３側では産業用無線親機２からの配信データを受信すると、同配信データに含まれる配信番号を抽出し、この配信番号に基づき次回の配信待ち番号を生成し、この次回の配信待ち番号を設定更新した後、次の配信データを受信すると、同配信データから配信番号を抽出し、この配信番号が現在設定中の次回の配信待ち番号に該当すると判定されると、自己の通信相手である産業用無線親機２からの配信データであると判断し、この受信した配信データを取得するようにしたので、産業用無線子機３の交換作業があったとしても、産業用無線親機２及び産業用無線子機３間の識別情報の登録作業を要することなく、産業用無線子機３は、自己の通信相手である産業用無線親機２からの配信データを取得することができる。
【００７０】
本実施の形態によれば、産業用無線子機３側にて次回の配信待ち番号を設定した後、次の配信データを受信すると、同配信データから配信番号を抽出し、この配信番号が設定中の次回の配信待ち番号に該当しないと判定されると、自己の通信相手からの配信データでないと判断し、この受信した配信データの取得を禁止するようにしたので、産業用無線子機３は、他の産業用無線親機２との混信を確実に防止することができる。
【００７１】
本実施の形態によれば、産業用無線子機３側にて次回の配信待ち番号を設定した後、所定時間内に現在設定中の配信待ち番号に該当する配信番号を抽出できなかったと判定されると、受信した配信データに含まれる配信番号を抽出し、この配信番号に基づき、次回の配信待ち番号を生成し、この次回の配信待ち番号を設定変更するようにしたので、産業用無線子機３側では、例えば通信障害等で所定時間内に設定中の配信待ち番号に該当する配信番号を抽出できなくても、次の配信番号に基づき次回の配信待ち番号を生成し、この次回の配信待ち番号を設定することで、通信の中断を確実に防止することができる。
【００７２】
本実施の形態によれば、図６に示すステップＳ３１にて産業用無線子機３の電源起動を検出すると、ステップＳ３２にて初期設定の次回の配信待ち番号を設定した後、受信した配信データから配信番号を抽出すると、この配信番号が設定中の次回の配信待ち番号に該当するか否かを判定するようにしたので、産業用無線子機３は、電源起動のタイミングで初期設定の次回の配信待ち番号を設定することができる。
【００７３】
本実施の形態によれば、図７に示すステップＳ５１にて産業用無線子機３の電源起動を検出すると、ステップＳ５２にて受信した配信データから配信番号を抽出した後、この配信番号に基づき、次回の配信待ち番号を生成し、この次回の配信待ち番号を設定更新するようにしたので、産業用無線子機３側では、初期設定の配信待ち番号を準備することなく、電源起動のタイミングで最初に受信した配信データ内の配信番号に基づき次回の配信待ち番号を設定することができる。
【００７４】
上記実施の形態においては、産業用無線子機３側にて配信データから配信番号を抽出すると、この配信番号に＋１インクリメントすることで配信待ち番号を生成し、この配信待ち番号を設定する、つまり、例えば配信番号が“Ｎ”の場合、配信待ち番号“Ｎ＋１”としたが、図９に示すように配信番号が“Ｎ”の場合、配信待ち番号を“Ｎ＋１”，“Ｎ＋２”，“Ｎ＋３”として配信待ち番号に幅を持たせるようにしても良い。
【００７５】
また、上記実施の形態においては、配信番号及び配信待ち番号を整数にしたが、産業用無線親機２及び産業用無線子機３間で配信データの配信順序が解るようにアルファベット等の識別符号で表すようにしても良く、例えば配信番号が“Ａ”の場合、アルファベット順に配信待ち番号をインクリメントして“Ｂ”、配信番号が“Ｂ”の場合、アルファベット順に配信待ち番号を“Ｃ”とするようにしても良く、整数だけでなく、アルファベット等の識別符号を使用したとしても、同様の効果が得られることは言うまでもない。
【産業上の利用可能性】
【００７６】
本発明の産業用無線通信システムは、産業用無線親機側にて配信データを産業用無線子機に配信する際に、同配信データに配信順序を示す配信符号を付加して配信すると共に、前記産業用無線子機側では産業用無線親機からの配信データを受信すると、同配信データに含まれる配信符号を抽出し、この配信符号に基づき次回の配信待ち符号を生成し、この次回の配信待ち符号を設定更新した後、次の配信データを受信すると、同配信データから配信符号を抽出し、この配信符号が設定中の次回の配信待ち符号に該当すると判定されると、自己の通信相手である産業用無線親機からの配信データであると判断し、この受信した配信データを取得するようにしたので、産業用無線親機及び産業用無線子機間の識別情報の登録作業を要することなく、産業用無線子機は、自己の通信相手である産業用無線親機からの配信データを取得することができるため、各種の産業用無線通信システムに有用である。
【図面の簡単な説明】
【００７７】
【図１】本発明の実施の形態を示す産業用無線通信システム内部の概略構成を示すブロック図である。
【図２】本実施の形態に関わる産業用無線親機内部の概略構成を示すブロック図である。
【図３】本実施の形態に関わる産業用無線子機内部の概略構成を示すブロック図である。
【図４】本実施の形態に関わる配信番号及び配信待ち番号の関係を端的に示す説明図である。
【図５】本実施の形態に関わる親機側データ配信処理の産業用無線親機側の処理動作を示すフローチャートである。
【図６】本実施の形態に関わる子機側データ取得処理の産業用無線子機側の処理動作を示すフローチャートである。
【図７】他の実施の形態に関わる子機側データ取得処理の産業用無線子機側の処理動作を示すフローチャートである。
【図８】他の実施の形態に関わる配信番号及び配信待ち番号の関係を端的に示す説明図である。
【図９】他の実施の形態に関わる配信番号及び配信待ち番号の関係を端的に示す説明図である。
【符号の説明】
【００７８】
１  産業用無線通信システム
２  産業用無線親機
３  産業用無線子機
２２  親機側通信部（配信手段）
２５  親機側記憶部（親機側記憶手段）
２６Ａ  配信データ生成部（配信データ生成手段）
２６Ｂ  配信番号付加部（配信番号付加手段）
３４  子機側タイマ監視部（所定時間監視手段）
３６  配信待ち番号設定部（配信待ち符号設定手段）
３８Ａ  配信番号抽出部（配信符号抽出手段）
３８Ｂ  配信データ取得部（配信データ取得手段）
３９  通信相手認証部（配信符号該当判定手段）
【図１】
2006253812.tif 000003
【図２】
2006253812.tif 000004
【図３】
2006253812.tif 000005
【図４】
2006253812.tif 000006
【図５】
2006253812.tif 000007
【図６】
2006253812.tif 000008
【図７】
2006253812.tif 000009
【図８】
2006253812.tif 000010
【図９】
2006253812.tif 000011